(57)【要約】【課題】高密度化すると接続端子の弾性力でフレキシブル配線板を押圧して固定するコネクタでは脱落しやすく、脱落防止のために開閉式の加圧機構を設けると加圧力を得るため構造の小型化および脱着時の開閉作業が困難である。【解決手段】接続端子の先端をフレキシブル配線板の抜き出し方向に対向させて鋭角に接触して配置して脱落ストッパーとし、ハウジングに治具挿入部を設けて、抜取り治具によって接続端子を変形させて抜取る。あるいは接点開放機構の一部を押下して、接続端子を変形させてフレキシブル配線板を抜取り可能とする。【選択図】  図１
2004265817.tif 000002
【特許請求の範囲】
【請求項１】
フレキシブル配線板を挿入するハウジングと前記フレキシブル配線板に形成された配線パターンとプリント配線板に形成された配線パターンを電気的に接続するための複数の接続端子を備え、前記プリント配線板上に実装されるコネクタにおいて、少なくとも１つ以上の前記接続端子が先端面を前記フレキシブル配線板の抜き出し方向に対向させて鋭角に接触して配置することを特徴とするコネクタ。
【請求項２】
ハウジングにフレキシブル配線板の抜取りのための治具挿入部を設けて、抜取り治具によって接続端子を変形させて前記フレキシブル配線板と前記接続端子の接触を解放することを特徴とする請求項１記載のコネクタ。
【請求項３】
ハウジングに設けられた回転軸によって支えられる接点解放機構の一部を押下することを特徴とする請求項１記載のコネクタ。
【請求項４】
治具孔を備えスライド可動するフックを設け、前記治具孔に治具を挿入して前記フックをスライドさせることを特徴とする請求項１記載のコネクタ。
【発明の詳細な説明】
【０００１】
【発明の属する技術分野】
本発明は、電子機器においてプリント配線板に表面実装されてフレキシブル配線板などとの接続に使われるコネクタに関するものである。
【０００２】
【従来の技術】
従来のコネクタの構造の一例を断面図で図８に示して説明する。
【０００３】
コネクタ２１は、絶縁性の材料で構成されたハウジング２２内で複数の端子２３が一列に並んで設けられている。端子２３の一方の端部はハウジング２２の中で自由端として弾性力を有して変形できるようになっている。端子２３の他方の端部はハウジング２２より外に引き出されて、はんだ２４によってコネクタ２１が固定されるとともにプリント配線板２５に形成されている配線と電気的に接続される。
【０００４】
フレキシブル配線板２６は表面に電気的な接点として銅箔２７によってパターンが形成されており、挿入口２８よりハウジング２２に挿入されると端子接触部２９を押し上げながら銅箔２７と端子接触部２９が接触することによって電気的に接続される（例えば、特許文献１参照）。
【０００５】
またフレキシブル配線板２６の脱落防止のために、開閉式の加圧機構を設けて、脱着時に開閉してフレキシブル配線板２６を押圧することで脱落防止するものもある（例えば、特許文献２参照）。
【０００６】
【特許文献１】
実開平５−８７８６２号公報（第２図）
【特許文献２】
特開平７−２２０８２９号公報（第３図）
【０００７】
【発明が解決しようとする課題】
しかしながら、電子機器の小型化に伴ってプリント配線板の実装密度化に対する要求から実装される部品も小型化されてきている。このため上記のような従来の構成では、端子の弾性力でフレキシブル配線を板押さえつけることで生じる摩擦力によって脱落を防止しているため、部品が小型化することで端子が十分な剛性を持つことができず、フレキシブル配線板が抜け落ちてしまうという問題を有していた。
【０００８】
また、フレキシブル配線板の脱落防止のためには、コネクタのハウジングに開閉式の加圧機構などを設けてフレキシブル配線板を挟み込んで固定するといった構造を必要とし、一定の押圧の強度が必要になるため加圧機構の小型化が困難であると共に、小型化すると脱着時の開閉の作業が困難になるという問題を有していた。
【０００９】
【課題を解決するための手段】
上記問題点を解決するために、本発明は、フレキシブル配線板を挿入するハウジングと前記フレキシブル配線板に形成された配線パターンとプリント配線板に形成された配線パターンを電気的に接続するための複数の接続端子を備え、前記プリント配線板上に実装されるコネクタにおいて、少なくとも１つ以上の前記接続端子が先端面を前記フレキシブル配線板の抜き出し方向に対向させて鋭角に接触して配置することで脱落ストッパーとしたことを特徴とするものである。
【００１０】
また、ハウジングにフレキシブル配線板の抜取りのための治具挿入部を設けて、抜取り治具によって接続端子を変形させて前記フレキシブル配線板と前記接続端子の接触を解放することで前記フレキシブル配線板が抜取り可能になることを特徴とするものである。
【００１１】
また、ハウジングに設けられた回転軸によって支えられる接点解放機構の一部を押下することによって接続端子を変形させてフレキシブル配線板と前記接続端子の接触を解放することで前記フレキシブル配線板が抜取り可能になることを特徴とするものである。
【００１２】
また、治具孔を備えスライド可動するフックを設け、前記治具孔に治具を挿入して前記フックをスライドさせることで接続端子を変形させてフレキシブル配線板と前記接続端子の接触を解放することで前記フレキシブル配線板が抜取り可能になることを特徴とするものである。
【００１３】
また、実装されているプリント配線板がハウジングの一部を構成していることを特徴とするものである。
【００１４】
本発明によれば、フレキシブル配線板の脱着が簡単にできて作業性が良く、確実に固定されて脱落がなく接続信頼性が高いとともに、プリント配線板の高密度化に有利なコンパクトなコネクタが提供できる。
【００１５】
【発明の実施の形態】
本発明は、フレキシブル配線板を挿入するハウジングと前記フレキシブル配線板に形成された配線パターンとプリント配線板に形成された配線パターンを電気的に接続するための複数の接続端子を備え、前記プリント配線板上に実装されるコネクタにおいて、少なくとも１つ以上の前記接続端子が先端面を前記フレキシブル配線板の抜き出し方向に対向させて鋭角に接触して配置することで脱落ストッパーとしたことを特徴とするもので、フレキシブル配線板の脱着が簡単にできて作業性が良く、確実に固定されて脱落がなく接続信頼性が高いとともに、フレキシブル配線板の押さえ構造が不要なためプリント配線板の高密度化に有利なコンパクトなコネクタにできるという効果を有する。
【００１６】
また本発明は、ハウジングにフレキシブル配線板の抜取りのための治具挿入部を設けて、抜取り治具によって接続端子を変形させて前記フレキシブル配線板と前記接続端子の接触を解放することで前記フレキシブル配線板が抜取り可能になることを特徴とするもので、フレキシブル配線板の脱着が簡単にできて作業性が良いコネクタにできるという効果を有する。
【００１７】
また本発明は、ハウジングに設けられた回転軸によって支えられる接点解放機構の一部を押下することによって接続端子を変形させてフレキシブル配線板と前記接続端子の接触を解放することで前記フレキシブル配線板が抜取り可能になることを特徴とするもので、フレキシブル配線板の脱着が簡単にできて作業性が良いコネクタにできるという効果を有する。
【００１８】
また本発明は、治具孔を備えスライド可動するフックを設け、前記治具孔に治具を挿入して前記フックをスライドさせることで接続端子を変形させてフレキシブル配線板と前記接続端子の接触を解放することで前記フレキシブル配線板が抜取り可能になることを特徴とするもので、フレキシブル配線板の脱着が簡単にできて作業性が良いコネクタにできるという効果を有する。
【００１９】
また本発明は、実装されているプリント配線板がハウジングの一部を構成していることを特徴とするもので、ハウジング構造が小さくコンパクトなコネクタにできるという効果を有する。
【００２０】
以下、本発明の実施の形態について、図を用いて説明する。
【００２１】
（実施の形態１）
図１、図２に本発明の一実施の形態を示す。図１はコネクタの断面図である。図２はフレキシブル配線板挿入時の端子接触部の拡大図である。図３はフレキシブル配線板抜出し時の端子接触部の拡大図である。
【００２２】
コネクタ１は、絶縁性の材料で構成されたハウジング２内で単数または複数の端子３が一列に並んで設けられている。端子３の一方の端部はハウジング２の中で自由端として弾力性を有して変形できるようになっている。端子３の他方の端部はハウジング２より外に引き出されて、はんだ４によってコネクタ１が固定されるとともにプリント配線板５に形成されている配線と電気的に接続される。
【００２３】
フレキシブル配線板６は表面に電気的な接点として銅箔７によってパターンが形成されており、挿入口８よりハウジング２に挿入される。端子３が板材などの曲げ加工によってばね形状を形成するため、材料の表面Ｂと端面Ｃとで端子接触部９が形成されている。
【００２４】
端子３は表面Ｂとフレキシブル配線板６との角度Ａが鋭角になるようにし、端面Ｃが挿入口８の側から見てハウジングの内側に向くように形状を加工して配置している。
【００２５】
フレキシブル配線板６が挿入されると端子３の傾斜した表面Ｂにまず当たり、更に挿入していくと表面Ｂから押されるため端子３は材料の厚み方向の力Ｄを受けて弾性変形して持ち上げられ、下にフレキシブル配線板６が入り込み、端子３と銅箔７が接するようになる。この状態でフレキシブル配線板６に抜出そうとする力Ｅが加わると、端子３には端面Ｃに対面方向の力Ｆが加わるため端子３は変形しにくく、逆にフレキシブル配線板６を押さえる反力Ｇが加わるため抜けにくくなる。このようにすることでフレキシブル配線板６を挿入しやすいと同時に、脱落防止も可能となる。
【００２６】
ハウジング２には治具挿入孔１０が設けられ、取外し治具１１を挿入して端子３を変形させることでフレキシブル配線板６との接触が解除されて抜出し可能になる。
【００２７】
なお端子３は板材などの曲げ加工としたが、エッチングなどによって同様の形状を形成してもかまわない。
【００２８】
（実施の形態２）
図４に本発明の一実施の形態を示す。図４はコネクタの断面図である。なお図１に示して説明したコネクタの概要については同じ構成であるので、その詳細な説明は省略する。
【００２９】
ハウジング２には回転軸１２を中心として回転可能な取外しレバー１３が取り付けられている。フレキシブル配線板６がコネクタ１に挿入固定された状態で、取外しレバー１３の端部Ｈを押し下げることでもう一方の端部が端子３を変形させてフレキシブル配線板６と端子接触部９の接触が解除されて簡単に抜出し可能になる。
【００３０】
（実施の形態３）
図５、図６に本発明の一実施の形態を示す。図５はコネクタの断面図およびそのＩ−Ｉ断面図である。図６はフレキシブル配線板抜出し時のコネクタの断面図である。なお図１に示して説明したコネクタの概要については同じ構成であるので、その詳細な説明は省略する。
【００３１】
ハウジング２には端子３を囲うようにスライド可能な解除フック１４が設けられている。解除フック１４はハウジング２の外側の位置に治具孔１５が設けられている。治具孔１５に入る治具１６を挿入しハウジング２の外側方向に解除フック１４をスライドさせることで接続端子３が変形しフレキシブル配線板６との接触が解除されて簡単に抜出し可能になる。
【００３２】
（実施の形態４）
図７に本発明の一実施の形態を示す。図７はコネクタの断面図である。なお図４に示して説明したコネクタの概要については同じ構成であるので、その詳細な説明は省略する。
【００３３】
コネクタ１のハウジング２はフレキシブル配線板６の挿入の受け側となる部分を持たない構造である。このためコネクタ１はプリント配線板５にはんだ４にて固定された状態ではじめてフレキシブル配線板６を挿入可能になる。コネクタ１は、ハウジング２のプリント配線板６と接する部分の構造が不要になるため、実装された後のプリント配線板６からの高さを低くすることができる。
【００３４】
【発明の効果】
以上のように、本発明のコネクタでは、接続端子の先端面をフレキシブル配線板の抜出し方向に対向させて鋭角に接触して配置することで脱落ストッパーとして、ハウジングにフレキシブル配線板の抜取りのための治具挿入部を設けて抜取り治具によって接続端子を変形させてフレキシブル配線板を抜取る構造とすることで、フレキシブル配線板の脱着作業が簡単であると同時に、脱落防止も可能となり接続信頼性の高いコネクタを提供することができる。
【００３５】
また、本発明のコネクタでは、ハウジングに接点開放機構を設けて、その一部を押下することでフレキシブル配線板が抜取り可能となるため、より簡単にフレキシブル配線板の抜取りが可能なコネクタを提供できる。
【００３６】
また、本発明のコネクタでは、ハウジングにスライドするフックによる接点開放機構を設けて、治具によってフックをスライドさせることでフレキシブル配線板が抜取り可能となるため、より簡単にフレキシブル配線板の抜取りが可能なコネクタを提供できる。
【００３７】
また、実装されるプリント配線板がハウジングの一部を構成することで、コネクタの実装高さを低くすることができ、高密度実装に有利なコネクタを提供できる。
【図面の簡単な説明】
【図１】本発明の第一実施の形態例におけるコネクタの断面図
【図２】本発明の第一実施の形態例におけるフレキシブル配線板挿入時の端子接触部の拡大図
【図３】本発明の第一実施の形態例におけるフレキシブル配線板抜出し時の端子接触部の拡大図
【図４】本発明の第二実施の形態例におけるコネクタの断面図
【図５】本発明の第三実施の形態例におけるコネクタの断面図およびそのＩ−Ｉ断面図
【図６】本発明の第三実施の形態例におけるフレキシブル配線板抜出し時のコネクタの断面図
【図７】本発明の第四実施の形態例におけるコネクタの断面図
【図８】従来のコネクタの断面図
【符号の説明】
１    コネクタ
２    ハウジング
３    端子
４    はんだ
５    プリント配線板
６    フレキシブル配線板
７    銅箔
１０    治具挿入孔
１１    取外し治具
１２    回転軸
１３    取外しレバー
１４    解除フック
１５    治具孔
【図１】
2004265817.tif 000003
【図２】
2004265817.tif 000004
【図３】
2004265817.tif 000005
【図４】
2004265817.tif 000006
【図５】
2004265817.tif 000007
【図６】
2004265817.tif 000008
【図７】
2004265817.tif 000009
【図８】
2004265817.tif 000010